(57)【要約】【課題】  把持部材と転写材を安定して当接させ、良好に画像を形成する転写装置及び画像形成装置を提供する。【解決手段】  転写材の像が転写される面を支持する支持部、及び前記転写材の端面と対向する対向部を有して移動し、前記転写材を把持する把持部材と、前記把持部材が配設されるとともに、前記転写材に像を転写させる転写ローラーと、前記把持部材に把持される前記転写材を送出する送出部と、前記送出部で前記転写材を送出する時の前記転写材の送出速度を前記転写ローラーの周速度よりも早くすると共に、前記把持部材の前記支持部が前記送出部の側に向けて鉛直方向の下方に傾斜した位置で前記転写材が前記支持部と当接するタイミングで前記転写材を前記送出部で送出させる制御部と、を備えたことを特徴とする。【選択図】図１
2012014044.tif 000002
【特許請求の範囲】
【請求項１】
転写材の像が転写される面を支持する支持部、及び前記転写材の端面と対向する対向部
を有して移動し、前記転写材を把持する把持部材と、
前記把持部材が配設されるとともに、前記転写材に像を転写させる転写ローラーと、
前記把持部材に把持される前記転写材を送出する送出部と、
前記送出部で前記転写材を送出する時の前記転写材の送出速度を前記転写ローラーの周
速度よりも早くすると共に、前記把持部材の前記支持部が前記送出部の側に向けて鉛直方
向の下方に傾斜した位置で前記転写材が前記支持部と当接するタイミングで前記転写材を
前記送出部で送出させる制御部と、
を備えたことを特徴とする転写装置。
【請求項２】
前記転写材を介して前記把持部材と当接して前記転写材を把持する円筒部材を前記転写
ローラーに配設する請求項１に記載の転写装置。
【請求項３】
トナー粒子及びキャリア液を含む液体現像剤で現像された像を担持する像担持体ベルト
と、
前記像が転写される転写材の転写面を支持する支持部、及び前記転写材の端面と対向す
る対向部を有して移動して前記転写材を把持する把持部材を有し、前記把持部材で把持さ
れた前記転写材に前記像担持体ベルトに担持された前記像を転写させる転写ローラーと、
前記把持部材で把持される前記転写材を送出する送出部と、
前記送出部で前記転写材を送出するときの前記転写材の送出速度を前記転写ローラーの周
速度よりも早くすると共に、前記把持部材の前記支持部が前記送出部の側に向けて鉛直方
向の下方に傾斜した位置で前記転写材が支持部と当接するタイミングで前記転写材を前記
送出部で送出させる制御部と、
を備えたことを特徴とする画像形成装置。
【請求項４】
前記把持部材で前記転写材を把持する時、前記把持部材の前記対向部と前記転写材の端
面とを当接させる請求項３に記載の画像形成装置。
【請求項５】
前記像担持体ベルトを巻き掛けるとともに、前記像担持体ベルトを移動させるベルト駆
動ローラーと、
前記像担持体ベルトを巻き掛けるとともに前記像担持体ベルトを介して前記転写ローラ
ーに当接するローラーと、
を有する請求項３又は請求項４に記載の画像形成装置。
【請求項６】
前記ローラーと同軸で前記ローラーの軸方向の端部に配設された円筒部材と、
前記転写ローラーの軸方向端部に配設されて前記円筒部材と当接し、前記転写ローラー
の回転中心と前記ローラーの回転中心との間の距離を規制する規制部材と、
を有する請求項５に記載の画像形成装置。
【請求項７】
前記像担持体ベルトは、前記転写ローラーの回転中心よりも鉛直方向の下方に配設され
るとともに、前記転写材が前記像担持体ベルトとの当接を防止する遮蔽部材を有する請求
項３乃至請求項６のいずれか１つに記載の画像形成装置。
【発明の詳細な説明】
【技術分野】
【０００１】
本発明は、電子写真に関する転写装置及び画像形成装置に関する。
【背景技術】
【０００２】
従来、転写ローラーの凹部に配設された把持部材により転写材を把持、開放する画像形
成装置が開示されている（特許文献１）。
【先行技術文献】
【特許文献】
【０００３】
【特許文献１】特表２００６−５１３８８３号公報
【発明の概要】
【発明が解決しようとする課題】
【０００４】
しかしながら、転写材が把持部材に突き当てる際の転写材の姿勢が一定でないと、転写
材の先端部にずれが生じ、転写材の像を転写する位置もずれが生じてしまう場合がある。
【０００５】
本発明は、把持部材と転写材を安定して突き当てさせ、良好に画像を形成する転写装置
及び画像形成装置を提供することを目的とする。
【課題を解決するための手段】
【０００６】
本発明の転写装置は、転写材の像が転写される面を支持する支持部、及び前記転写材の
端面と対向する対向部を有して移動し、前記転写材を把持する把持部材と、前記把持部材
が配設されるとともに、前記転写材に像を転写させる転写ローラーと、前記把持部材に把
持される前記転写材を送出する送出部と、前記送出部で前記転写材を送出する時の前記転
写材の送出速度を前記転写ローラーの周速度よりも早くすると共に、前記把持部材の前記
支持部が前記送出部の側に向けて鉛直方向の下方に傾斜した位置で前記転写材が前記支持
部と当接するタイミングで前記転写材を前記送出部で送出させる制御部と、を備えたこと
を特徴とする。
【０００７】
また、前記転写材を介して前記把持部材と当接して前記転写材を把持する円筒部材を前
記転写ローラーに配設する。
【０００８】
さらに、本発明の画像形成装置は、トナー粒子及びキャリア液を含む液体現像剤で現像
された像を担持する像担持体ベルトと、前記像が転写される転写材の転写面を支持する支
持部、及び前記転写材の端面と対向する対向部を有して移動して前記転写材を把持する把
持部材を有し、前記把持部材で把持された前記転写材に前記像担持体ベルトに担持された
前記像を転写させる転写ローラーと、前記把持部材で把持される前記転写材を送出する送
出部と、前記送出部で前記転写材を送出するときの前記転写材の送出速度を前記転写ロー
ラーの周速度よりも早くすると共に、前記把持部材の前記支持部が前記送出部の側に向け
て鉛直方向の下方に傾斜した位置で前記転写材が支持部と当接するタイミングで前記転写
材を前記送出部で送出させる制御部と、を備えたことを特徴とする。
【０００９】
また、前記把持部材で前記転写材を把持する時、前記把持部材の前記対向部と前記転写
材の端面とを当接させる。
【００１０】
また、前記像担持体ベルトを巻き掛けるとともに、前記像担持体ベルトを移動させるベ
ルト駆動ローラーと、前記像担持体ベルトを巻き掛けるとともに前記像担持体ベルトを介
して前記転写ローラーに当接するローラーと、を有する。
【００１１】
また、前記ローラーと同軸で前記ローラーの軸方向の端部に配設された円筒部材と、前
記転写ローラーの軸方向端部に配設されて前記円筒部材と当接し、前記転写ローラーの回
転中心と前記ローラーの回転中心との間の距離を規制する規制部材と、を有する。
【００１２】
また、前記像担持体ベルトは、前記転写ローラーの回転中心よりも鉛直方向の下方に配
設されるとともに、前記転写材が前記像担持体ベルトとの当接を防止する遮蔽部材を有す
る。
【００１３】
本発明によれば、転写材Ｓが、把持部材に突き当たり、支持部の傾斜に沿ってたわむこ
とになり、転写ローラーと送出部の間での転写材の状態を鉛直方向の下方側に凸形状を有
するようにたわませ、転写材の姿勢を一定にすることが可能となる。
【００１４】
また、規制部材、又は規制部材と円筒部材を設けることで転写ローラーと転写部ベルト
張架ローラー間を位置規制し、把持部材と像担持体ベルトとの接触を防止することが可能
となる。
【００１５】
また、遮蔽部材を配設することにより、把持部材の支持部が先端に向かって鉛直方向の
下方に向いている状態で挟持された転写材は、鉛直方向の下方に向かって凸形状となるよ
うにたわんだ際に、像担持体ベルト等の他の部材に接触することが低減される。
【図面の簡単な説明】
【００１６】
【図１】本発明の実施形態に係る画像形成装置を構成する主要構成要素を示した図である。
【図２】第１実施形態の転写材がゲートローラーから送出される前の状態を示す図である。
【図３】第１実施形態の転写材が把持部材の支持部に当接している状態を示す図である。
【図４】図３の把持部材付近の拡大図である。
【図５】第１実施形態の転写材が支持部と支持面に把持された状態を示す図である。
【図６】図５の把持部材付近の拡大図である。
【図７】第１実施形態の二次転写ローラーがさらに回転した状態を示す図である。
【図８】第２実施形態の転写材が把持部材の支持部に当接している状態を示す図である。
【図９】第２実施形態の転写材が支持部と支持面に把持された状態を示す図である。
【図１０】第３実施形態の転写材が支持部と支持面に把持された状態を示す図である。
【発明を実施するための形態】
【００１７】
以下、本発明の実施の形態を、図面を参照しつつ説明する。
【００１８】
図１は、本発明の実施形態に係る画像形成装置を構成する主要構成要素を示した図であ
る。画像形成装置の中央部に配置された像担持体としての中間転写ベルト４０に対し、現
像部としての現像装置３０Ｙ，３０Ｍ，３０Ｃ，３０Ｋは、画像形成装置の鉛直方向の下
方に配置され、転写部としての二次転写部６０、図示しない定着ユニットなどの構成は画
像形成装置の鉛直方向の上方に配置されている。
【００１９】
潜像が形成される潜像担持体としての感光体１０Ｙ，１０Ｍ，１０Ｃ，１０Ｋの周辺は
、トナーによる画像を形成するために、帯電部としてのコロナ帯電器１１Ｙ，１１Ｍ，１
１Ｃ，１１Ｋ、ＬＥＤアレイなどの露光部としての露光ユニット１２Ｙ，１２Ｍ，１２Ｃ
，１２Ｋ等を備えている。コロナ帯電器１１Ｙ，１１Ｍ，１１Ｃ，１１Ｋにより、感光体
１０Ｙ，１０Ｍ，１０Ｃ，１０Ｋを一様に帯電させ、露光ユニット１２Ｙ，１２Ｍ，１２
Ｃ，１２Ｋにより、入力された画像信号に基づいて露光を行い、帯電された感光体１０Ｙ
，１０Ｍ，１０Ｃ，１０Ｋ上に静電潜像を形成する。
【００２０】
現像装置３０Ｙ，３０Ｍ，３０Ｃ，３０Ｋは、概略、現像剤担持体としての現像ローラ
ー２０Ｙ，２０Ｍ，２０Ｃ，２０Ｋ、イエロー（Ｙ）、マゼンタ（Ｍ）、シアン（Ｃ）、
ブラック（Ｋ）からなる各色の液体現像剤を貯蔵する現像剤容器（リザーバ）３１Ｙ，３
１Ｍ，３１Ｃ，３１Ｋ、これら各色の液体現像剤を現像剤容器３１Ｙ，３１Ｍ，３１Ｃ，
３１Ｋから現像ローラー２０Ｙ，２０Ｍ，２０Ｃ，２０Ｋに塗布する塗布ローラーである
現像剤供給部材としてのアニロックスローラー３２Ｙ，３２Ｍ，３２Ｃ，３２Ｋ等を備え
、各色の液体現像剤により感光体１０Ｙ，１０Ｍ，１０Ｃ，１０Ｋ上に形成された静電潜
像を現像する。
【００２１】
中間転写ベルト４０は、シームレスなゴム等の弾性部材で形成されたベルトであり、ベ
ルト駆動ローラー４１、張架ローラー４２及び二次転写部張架ローラー４３に張架され、
１次転写部５０Ｙ、５０Ｍ、５０Ｃ、５０Ｋで感光体１０Ｙ、１０Ｍ、１０Ｃ、１０Ｋと
当接しながらベルト駆動ローラー４１により回転駆動される。１次転写部５０Ｙ、５０Ｍ
、５０Ｃ、５０Ｋは、感光体１０Ｙ、１０Ｍ、１０Ｃ、１０Ｋと中間転写ベルト４０を挟
んで一次転写ローラー５１Ｙ、５１Ｍ、５１Ｃ、５１Ｋが対向配置され、感光体１０Ｙ、
１０Ｍ、１０Ｃ、１０Ｋとの当接位置を転写位置として、現像された感光体１０Ｙ、１０
Ｍ、１０Ｃ、１０Ｋ上の各色のトナー像を中間転写ベルト４０上に順次重ねて転写し、フ
ルカラーのトナー像を形成する。
【００２２】
中間転写ベルト４０の張架ローラー４２に張架されている箇所で、転写ベルトクリーニ
ングブレード４９からなるクリーニング部が当接・配置され、中間転写ベルト４０上の残
りトナー、キャリアをクリーニングするようになっている。
【００２３】
二次転写部６０は、転写ローラーとしての二次転写ローラー６１等を備えている。二次
転写ローラー６１は、二次転写部張架ローラー４３の回転につれて矢印で示す方向に回転
するとともに転写バイアスが印加されることにより、転写ニップで中間転写ベルト４０の
トナー像を転写材搬送経路Ｌにて搬送される用紙、フィルム、布等の転写材に転写する。
また、二次転写部６０は、二次転写ローラー６１をクリーニングする転写ローラークリー
ニングブレード６９等を有する。
【００２４】
転写材搬送経路Ｌの二次転写部６０の下流には、図示しない転写材搬送部が配列されて
おり、転写材を図示しない定着ユニットに搬送するようになっており、定着ユニットでは
、用紙等の転写材上に転写された単色のトナー像やフルカラーのトナー像を用紙等の転写
材に融着させ定着させる。
【００２５】
画像形成装置に対する転写材の供給は、給紙装置（不図示）によって行われる。このよ
うな給紙装置にセットされた転写材は、所定のタイミングにて一枚ごとに転写材搬送経路
Ｌに送り出されるようになっている。転写材搬送経路Ｌでは、転写材送出部としてのゲー
トローラー７１、７１’によって転写材を二次転写位置まで搬送し、中間転写ベルト４０
上に形成された単色のトナー像やフルカラーのトナー像を転写材に転写する。
【００２６】
二次転写された転写材は、上記のように、転写材搬送部によって、さらに定着ユニット
に搬送される。定着ユニットは、図示しない加熱ローラーと、この加熱ローラー側に所定
の圧力で付勢された図示しない加圧ローラーとから構成されており、これらのニップ間に
転写材を挿通させ、転写材上に転写された単色のトナー像やフルカラーのトナー像を用紙
等の転写材に融着し定着させる。
【００２７】
ここで、現像装置について説明するが、各色の感光体周辺部及び現像装置の構成は同様
であるので、以下、イエロー（Ｙ）の感光体周辺部及び現像装置に基づいて説明する。
【００２８】
感光体周辺部は、感光体１０Ｙの外周の回転方向に沿って、コロナ帯電器１１Ｙを基準
として、露光ユニット１２Ｙ、現像装置３０Ｙの現像ローラー２０Ｙ、第１感光体スクイ
ーズローラー１３Ｙ、第２感光体スクイーズローラー１３Ｙ’、一次転写部５０Ｙ、図示
しない除電部及び感光体クリーニングブレード１８Ｙ、が配置されている。なお、画像形
成プロセスは、コロナ帯電器１１Ｙから感光体クリーニングブレード１８Ｙの順に、より
前段に配置される構成は、後段に配置される構成より上流にあるものと定義する。
【００２９】
感光体１０Ｙは、外周面にアモルファスシリコン感光体などの感光層が形成された円筒
状の部材からなる感光体ドラムであり、図１において、時計回りの方向に回転する。
【００３０】
コロナ帯電器１１Ｙは、感光体１０Ｙと現像ローラー２０Ｙとのニップ部より感光体１
０Ｙの回転方向の上流側に配置され、図示しない電源装置から電圧が印加され、感光体１
０Ｙをコロナ帯電させる。露光ユニット１２Ｙは、感光体１０Ｙの回転方向において、コ
ロナ帯電器１１Ｙより下流側、現像ローラー２０Ｙとのニップ部より上流側に配置され、
コロナ帯電器１１Ｙによって帯電された感光体１０Ｙ上に光を照射し、感光体１０Ｙ上に
潜像を形成する。
【００３１】
また現像装置３０Ｙは、前記の液体現像剤を担持する現像ローラー２０Ｙと、液体現像
剤を現像ローラー２０Ｙに塗布するための塗布ローラーであるアニロックスローラー３２
Ｙと、現像ローラー２０Ｙに塗布する液体現像剤量を規制する規制ブレード３３Ｙと、液
体現像剤を攪拌、搬送しつつアニロックスローラー３２Ｙに供給するオーガ３４Ｙと、現
像ローラー２０Ｙに担持された液体現像剤をコンパクション状態にするコンパクションコ
ロナ発生器２２Ｙと、現像ローラー２０Ｙのクリーニングを行う現像ローラークリーニン
グブレード２１Ｙと、キャリア内にトナーを概略重量比２０％程度に分散した状態の液体
現像剤を貯蔵する現像剤容器３１Ｙとを有する。
【００３２】
現像剤容器３１Ｙに収容されている液体現像剤は、従来一般的に使用されているＩｓｏ
ｐａｒ（商標：エクソン）をキャリアとした低濃度（１〜３ｗｔ％程度）かつ低粘度の、
常温で揮発性を有する揮発性液体現像剤ではなく、高濃度かつ高粘度の、常温で不揮発性
を有する不揮発性液体現像剤である。すなわち、本発明における液体現像剤は、熱可塑性
樹脂中へ顔料等の着色剤を分散させた平均粒径１μｍの固形子を、有機溶媒、シリコンオ
イル、鉱物油又は食用油等の液体溶媒中へ分散剤とともに添加し、トナー固形分濃度を約
１５〜２５％とした高粘度（ＨＡＡＫＥ  ＲｈｅｏＳｔｒｅｓｓ  ＲＳ６００を用いて、
２５℃の時のせん断速度が１０００（１／ｓ）のときの粘弾性が３０〜３００ｍＰａ・ｓ
程度）の液体現像剤である。
【００３３】
なお、各色Ｙ、Ｍ、Ｃ、Ｋに対応する感光体や現像装置等の部材の配置順は、図１に示
す例に限定されることはなく、任意に設定することができる。
【００３４】
次に、第１実施形態の二次転写部６０等の構成を説明する。図２〜図５は第１実施形態
の二次転写部６０付近の拡大図である。図２は転写材がゲートローラーから送出される前
の状態を示す図、図３は転写材が把持部材の支持部に当接している状態を示す図、図４は
転写材が支持部と支持面に把持された状態を示す図、図５は把持部材付近の拡大図、図６
は二次転写ローラーがさらに回転した状態を示す図である。
【００３５】
二次転写ローラー６１は、第１フレーム１０１に支持されている。また、感光体１０Ｙ
，１０Ｍ，１０Ｃ，１０Ｋ、第１張架ローラー４１、二次転写部張架ローラー４３、テン
ションローラー４４及びゲートローラー７１，７１’、及び図示しない現像装置３０Ｙ，
３０Ｍ，３０Ｃ，３０Ｋ、第２張架ローラー４２は、第１フレームとは別の第２フレーム
１０２に支持されている。
【００３６】
二次転写ローラー６１は、円筒状の本体に凹部６３を有している。凹部６３は、二次転
写ローラー６１の軸方向に延設されている。凹部６３内には、把持部材としてのグリッパ
６４およびグリッパ６４が着座する当接部６１ａが配設されている。
【００３７】
グリッパ６４は、二次転写ローラー６１の軸方向に沿って配設され、任意の個数設ける
ことができる。各グリッパ６４は回転軸６４ａに対して回転し支持部６４ｂが当接部６１
ａに着座するように設けられている。また、転写材の像が転写される面を支持する支持部
６４ｂに案内された転写材の端面と対向する位置に対向部６４ｃが設けられ、支持部６４
ｂと対向部６４ｃとの交点を支持部隅６４ｄとする。
【００３８】
当接部６１ａは、二次転写ローラー６１の凹部６３の回転方向後側の周方向端部に本体
を加工して形成されている。本実施形態では、支持部６４ｂ及び当接部６１ａは、平面で
構成されている。なお、当接部６１ａは、転写ローラー６１の本体とは別の当接部材で構
成されてもよい。
【００３９】
二次転写ローラー６１の周長は、この例の画像形成装置１に使用される転写材Ｓの種類
のうち、転写材移動方向の長さが最大である転写材Ｓの転写材移動方向の長さより大きく
設定されている。より詳細には、凹部６３の二次転写ローラー回転方向幅を除く二次転写
ローラー６１の周長が、前述の転写材Ｓの転写材移動方向の最大長さより大きく設定され
ている。これにより、前述の転写材移動方向の最大長さを有する転写材Ｓにも、中間転写
ベルト４０のトナー像が確実に転写されるようになる。
【００４０】
二次転写ローラー６１の中間転写ベルト４０を介して対向した位置には、転写部張架ロ
ーラーとしての二次転写部張架ローラー４３が配設されている。二次転写部張架ローラー
４３は当離接部材としての付勢部材４３ａにより二次転写ローラー６１側へ付勢されてい
る。
【００４１】
次に、本発明にかかる二次転写ローラー６１の回転位置の検出について説明する。
【００４２】
二次転写ローラー６１には、二次転写ローラー６１と同軸に支持され一体に回転する被
検出部材９１と、被検出部材９１に形成されたスリット９２とを有する被検出部９０が設
けられている。
【００４３】
また、二次転写ローラー６１を支持する図示しないケース等には、センサ規制部材９６
と、スリット９２の通過を検出するセンサ９７とを有する回転位置検出部９５が設けられ
ている。センサ９７は、被検出部材９１を挟んで両側に発光部と受光部とを有し、スリッ
ト９２が発光部と受光部の間を通過する際に、発光部が発光した光を受光部が受光するこ
とで回転位置を検出する。
【００４４】
センサ９７がスリット９２を検出すると、図示しない制御部がタイミングを制御して、
露光ユニット１２の露光及びゲートローラー７１，７１’による転写材の搬送を開始する
。
【００４５】
次に、本発明に係る実施形態の回転位置検出部９５とゲートローラー７１，７１’の動
作タイミング制御について説明する。
【００４６】
二次転写ローラー６１が回転し、センサ９７がスリット９２を検出すると、制御部から
送信された信号により、図２に示すように、所定時間後にゲートローラー７１，７１’を
駆動する。ゲートローラー７１，７１’は、転写材Ｓの先端Ｓ１を挟持した状態から回転
を始め、転写材Ｓの送出を開始する。
【００４７】
この時、二次転写部張架ローラー４３は、付勢部材４３ａにより二次転写ローラー６１
側に押圧されているが、二次転写ローラー６１の凹部６３以外の外周に中間転写ベルト４
０を介して当接することになるので、位置は移動しない。
【００４８】
また、センサ９７は、二次転写ローラー６１と中間転写ベルト４０が転写材Ｓを介さず
に当接している時に、スリット９２を検出すると好ましい。このように、二次転写ローラ
ー６１と中間転写ベルト４０が転写材Ｓを介さずに当接している時に、センサ９７がスリ
ット９２を検出するように設定するので、二次転写ローラー６１の回転位置が安定な状態
で検出することになり、良好に転写し、画像を形成することが可能となる。
【００４９】
その後、転写材Ｓは、図３に示したように、ゲートローラー７１，７１’によって送出
される。そして、二次転写ローラー６１の回転に応じてグリッパ６４が開状態となる。グ
リッパ６４の開状態の時に、転写材Ｓの先端Ｓ１はグリッパ６４の支持部６４ｂに当接す
る。
【００５０】
なお、開いた状態のグリッパ６４は、凹部６３における二次転写ローラー６１の外周６
１ｂの仮想外周径線を越えないようにあらかじめ設定されているとよい。このように設定
することで、グリッパ６４と中間転写ベルト４０との接触を防止することが可能となる。
【００５１】
図４は、グリッパ６４付近の拡大図である。本実施形態では、転写材Ｓがグリッパ６４
に当接した時に、グリッパ６４の支持部６４ｂがゲートローラー７１，７１’側の先端に
向かって鉛直方向の下方に向くように、制御部がゲートローラー７１，７１’の送出のタ
イミングを制御する構成とする。すなわち、転写材Ｓがグリッパ６４に当接した時に、グ
リッパ６４の支持部６４ｂの延長線Ａ１は、水平線Ｈに対して、鉛直方向の下方側に所定
の角度Ｂ１を有している。
【００５２】
また、支持部６４ｂに当接した転写材Ｓは、支持部６４ｂに案内され対向部６４ｃに突
き当たり、支持部隅６４ｄに位置決めされる。
【００５３】
このように構成することで、ゲートローラー７１，７１’に送出された転写材Ｓは、グ
リッパ６４の対向部６４ｃに突き当たり、支持部６４ｂの傾斜に沿ってたわむことになる
。そして、二次転写ローラー６１とゲートローラー７１，７１’の間での転写材Ｓの状態
を鉛直方向の下方側に凸形状を有するようにたわませることが可能となる。もし、グリッ
パ６４の支持部６４ｂが水平方向の時に転写材Ｓの把持を行うと、たわみ方向が一方向へ
安定化できずに転写材Ｓのグリッパ６４への突き当てが不安定になるおそれがある。
【００５４】
また、二次転写ローラー６１の当接部６１ａが鉛直方向の上方に向いている構成とする
とさらに好ましい。すなわち、転写材Ｓがグリッパ６４に当接した時に、当接部６１ａの
延長線Ｃ１は、水平線Ｈに対して、鉛直方向の上方側に所定の角度Ｄ１を有している。
【００５５】
このように構成することで、支持部６４ｂと当接部６１ａの間隔が大きくなり、転写材
Ｓが送出された時に、他の部分に触れることなくグリッパ６４の支持部６４ｂに導かれる
ようになる。
【００５６】
次に、転写材Ｓは、図５に示したように、ゲートローラー７１，７１’によってさらに
送出される。グリッパ６４は回転軸６４ａに対して回転し、支持部６４ｂが当接部６１ａ
に着座することで転写材Ｓを挟持する。
【００５７】
図６は、グリッパ６４付近の拡大図である。本実施形態では、グリッパ６４が転写材Ｓ
を把持する直前及び把持した状態となった時に、グリッパ６４の支持部６４ｂ及び当接部
６１ａが先端に向かって鉛直方向の下方に向くように、制御部が送出部の送出のタイミン
グを制御する構成とする。すなわち、グリッパ６４が転写材Ｓを把持した状態となった時
に、支持部６４ｂ及び当接部６１ａの延長線Ａ２は、水平線Ｈに対して、鉛直方向の下方
側に所定の角度Ｂ２を有している。
【００５８】
このように構成することで、二次転写ローラー６１とゲートローラー７１，７１’の間
での転写材Ｓの状態を鉛直方向の下方側に凸形状を有するようにたわませることが可能と
なる。もし、グリッパ６４の支持部６４ｂが水平方向の時に転写材Ｓの把持を行うと、た
わみ方向が一方向へ安定化できずに転写材Ｓのグリッパ６４への突き当てが不安定になる
おそれがある。
【００５９】
その後、図７に示したように、転写材Ｓは、ゲートローラー７１，７１’によって送出
され、二次転写ローラー６１は、さらに回転する。
【００６０】
そして、転写材Ｓは、二次転写ローラー６１と中間転写ベルト４０とのニップ部を通過
する際に中間転写ベルト４０から画像が転写される。この時、ゲートローラー７１，７１
’は回転を続けてもよい。
【００６１】
次に、第２実施形態の二次転写部６０等の構成を説明する。図８及び図９は第２実施形
態の二次転写部６０付近の拡大図である。具体的には、図８は第２実施形態の転写材が把
持部材の支持部に当接している状態を示す図、図９は第２実施形態の転写材が支持部と支
持面に把持された状態を示す図である。
【００６２】
第２実施形態では、二次転写ローラー６１の凹部６３の軸方向外側に規制部材６６を配
設し、二次転写部張架ローラー４３の軸方向外側に規制部材６６に当接する円筒部材４５
を配設する。なお、円筒部材４５と規制部材６６とで規制部を構成する。
【００６３】
規制部材６６は、二次転写ローラー６１の外周６１ｂと同心で、外周６１ｂよりも径の
少し大きい円弧部６６ａを有する。円筒部材４５は、二次転写部張架ローラー４３と同軸
で、二次転写部張架ローラー４３よりも径が小さい。また、二次転写部張架ローラー４３
と共に付勢部材４３ａにより二次転写ローラー６１側に付勢されている。二次転写ローラ
ー６１と二次転写部張架ローラー４３は、当接することで、二次転写ローラー６１の回転
中心と二次転写部張架ローラー４３の回転中心との中心間距離を所定の距離に規制する。
【００６４】
その他の構成は第１実施形態と同様なので説明は省略する。
【００６５】
二次転写ローラー６１が回転し、センサ９７がスリット９２を検出すると、図示しない
制御部は所定時間後にゲートローラー７１，７１’を駆動する。ゲートローラー７１，７
１’は、転写材Ｓの先端Ｓ１を挟持した状態から回転を始め、転写材Ｓの搬送を開始する
。
【００６６】
その後、二次転写ローラー６１がさらに回転すると、規制部材６６と円筒部材４５が当
接する。規制部材６６と円筒部材４５との当接は、二次転写ローラー６１の外周６１ｂと
二次転写部張架ローラー４３の外周とが当接している状態、具体的には二次転写部張架ロ
ーラー４３の外周が凹部６３に対向する前の状態で始まるように設定する。すなわち、規
制部材６６の円弧部６６ａは、二次転写ローラー６１の周方向において、凹部６３よりも
長くすることで、軸方向から見て規制部材６６と二次転写ローラー６１の外周６１ｂとが
重なる部分を有するように設定する。
【００６７】
また、規制部材６６の円弧部６６ａから二次転写ローラー６１の外周６１ｂまでの径方
向の長さは、円筒部材４５の外周から二次転写部張架ローラー４３の外周までの長さ、す
なわち円筒部材４５と二次転写部張架ローラー４３の径の差以上とする。したがって、規
制部材６６と円筒部材４５が当接する際の衝撃を低減させることが可能となる。また、多
少の衝撃による振動が生じたとしても二次転写部張架ローラー４３が、付勢部材４３ａに
より中間転写ベルト４０を内側から外側へ押圧しているため、中間転写ベルト４０は、常
に内側から外側へテンションが付加されることとなり、振動を低減することが可能である
。
【００６８】
その後、転写材Ｓは、図８に示したように、ゲートローラー７１，７１’によって送出
される。そして、二次転写ローラー６１の回転に応じてグリッパ６４が開状態となる。グ
リッパ６４の開状態の時に、転写材Ｓの先端Ｓ１はグリッパ６４の支持部６４ｂに当接し
、案内され、対向部６４ｃに突き当たる。
【００６９】
なお、開いた状態のグリッパ６４は、凹部６３における二次転写ローラー６１の外周６
１ｂの仮想外周径線を越えないようにあらかじめ設定されているとよい。このように設定
することで、グリッパ６４と中間転写ベルト４０との接触を防止することが可能となる。
【００７０】
グリッパ６４付近の拡大図は図４と同様である。第２実施形態でも、転写材Ｓがグリッ
パ６４に当接した時に、グリッパ６４の支持部６４ｂがゲートローラー７１，７１’側の
先端に向かって鉛直方向の下方に向くように、制御部が送出部の送出のタイミングを制御
する構成とする。すなわち、転写材Ｓがグリッパ６４に当接した時に、グリッパ６４の支
持部６４ｂの延長線Ａ１は、水平線Ｈに対して、鉛直方向の下方側に所定の角度Ｂ１を有
している。
【００７１】
また、支持部６４ｂに当接した転写材Ｓは、支持部６４ｂに案内され対向部６４ｃに突
き当たり、支持部隅６４ｄに位置決めされる。
【００７２】
このように構成することで、ゲートローラー７１，７１’に送出された転写材Ｓは、グ
リッパ６４に突き当たり、支持部６４ｂの傾斜に沿ってたわむことになる。そして、二次
転写ローラー６１とゲートローラー７１，７１’の間での転写材Ｓの状態を鉛直方向の下
方側に凸形状を有するようにたわませることが可能となる。もし、グリッパ６４の支持部
６４ｂが水平方向の時に転写材Ｓの把持を行うと、たわみ方向が一方向へ安定化できずに
転写材Ｓのグリッパ６４への突き当てが不安定になるおそれがある。
【００７３】
また、二次転写ローラー６１の当接部６１ａが鉛直方向の上方に向いている構成とする
とさらに好ましい。すなわち、転写材Ｓがグリッパ６４に当接した時に、当接部６１ａの
延長線Ｃ１は、水平線Ｈに対して、鉛直方向の上方側に所定の角度Ｄ１を有している。
【００７４】
このように構成することで、支持部６４ｂと当接部６１ａの間隔が大きくなり、転写材
Ｓが送出された時に、他の部分に触れることなくグリッパ６４の支持部６４ｂに導かれる
ようになる。
【００７５】
次に、転写材Ｓは、図９に示したように、ゲートローラー７１，７１’によってさらに
搬送され、グリッパ６４は回転軸６４ａに対して回転し、支持部６４ｂが当接部６１ａに
着座することで転写材Ｓを挟持する。
【００７６】
この状態でも第１実施形態と同様に、図６に示したように、グリッパ６４が転写材Ｓを
把持する直前又は把持した状態となった時に、グリッパ６４の支持部６４ｂと当接部６１
ａとで形成される支持部６４ｂが先端に向かって鉛直方向の下方に向いている構成とする
。すなわち、グリッパ６４が転写材Ｓを把持する直前及び把持した状態となった時に、支
持部６４ｂの延長線Ａは、水平線Ｈに対して、鉛直方向の下方側に所定の角度Ｂを有して
いる。
【００７７】
このように構成することで、二次転写ローラー６１とゲートローラー７１，７１’の間
での転写材Ｓの状態を鉛直方向の下方側に凸形状を有するようにたわませることが可能と
なる。もし、グリッパ６４の支持部６４ｂが水平方向の時に転写材Ｓの把持を行うと、た
わみ方向が一方向へ安定化できずに転写材Ｓのグリッパ６４への突き当てが不安定になる
おそれがある。
【００７８】
また、規制部材６６と円筒部材４５が離間する際の衝撃は、当接する際と同様に低減さ
せることが可能である。
【００７９】
そして、転写材Ｓは、二次転写ローラー６１と中間転写ベルト４０とのニップ部を通過
する際に中間転写ベルト４０から画像が転写される。この時、ゲートローラー７１，７１
’は回転を続けてもよい。
【００８０】
次に、第３実施形態の二次転写部６０等の構成を説明する。図１０は第３実施形態の二
次転写部６０付近の拡大図である。
【００８１】
第３実施形態では、ゲートローラー７１，７１’のニップ部と、二次転写ローラー６１
と二次転写部張架ローラー４３のニップ部との間に遮蔽部材Ｇを設ける。遮蔽部材Ｇは、
図１０に示すように、転写材Ｓが鉛直方向の下方へたわむことができるように、鉛直方向
の下方側へ向かって凸形状を有する。
【００８２】
このような遮蔽部材Ｇを配設することにより、グリッパ６４の支持部６４ｂと当接部６
１ａとが先端に向かって鉛直方向の下方に向いている状態で挟持された転写材Ｓは、鉛直
方向の下方に向かって凸形状となるようにたわんだ際に、中間転写ベルト４０等の他の部
材に接触することが低減される。
【００８３】
なお、第２実施形態と第３実施形態を組み合わせ新たな実施形態を構成してもよい。
【符号の説明】
【００８４】
１０Ｙ，１０Ｍ，１０Ｃ，１０Ｋ…感光体（潜像担持体）、１１Ｙ，１１Ｍ，１１Ｃ，
１１Ｋ…コロナ帯電器（帯電部）、１２Ｙ，１２Ｍ，１２Ｃ，１２Ｋ…露光ユニット（露
光部）、１３Ｙ…第１感光体スクイーズローラー、１３Ｙ’…第２感光体スクイーズロー
ラー、１８Ｙ…感光体クリーニングブレード、２０Ｙ，２０Ｍ，２０Ｃ，２０Ｋ…現像ロ
ーラー（現像剤担持体）、２１Ｙ…現像ローラークリーニングブレード、２２Ｙ…コンパ
クションコロナ発生器、３０Ｙ，３０Ｍ，３０Ｃ，３０Ｋ…現像装置（現像部）、３１Ｙ
，３１Ｍ，３１Ｃ，３１Ｋ…現像剤容器、３２Ｙ，３２Ｍ，３２Ｃ，３２Ｋ…アニロック
スローラー（現像剤供給部材）、３３Ｙ…規制ブレード、３４Ｙ…オーガ、４０…中間転
写ベルト（像担持体ベルト）、４１…ベルト駆動ローラー、４２…張架ローラー、４３…
二次転写部張架ローラー（転写部張架ローラー）、４３ａ…付勢部材、４５…円筒部材、
４９…中間転写ベルトクリーニングブレード、５０…一次転写部、５１…一次転写ローラ
ー、６０…二次転写部（転写部）、６１…二次転写ローラー（転写ローラー）、６３…凹
部、６４…グリッパ（把持部材）、６６…規制部材、７１，７１’…ゲートローラー（送
出部）、９０…被検出部、９１…被検出部材、９２…スリット、９５…検出部、９６…セ
ンサ支持部、９７…センサ、１０１…第１フレーム、１０２…第２フレーム、Ｓ…転写材
【図１】
2012014044.tif 000003
【図２】
2012014044.tif 000004
【図３】
2012014044.tif 000005
【図４】
2012014044.tif 000006
【図５】
2012014044.tif 000007
【図６】
2012014044.tif 000008
【図７】
2012014044.tif 000009
【図８】
2012014044.tif 000010
【図９】
2012014044.tif 000011
【図１０】
2012014044.tif 000012